(57)【要約】      （修正有） 【課題】  内容器の口元を細くした状態で確実にスポット溶接でき、しかも内容器内の液体を所望の温度にまで加熱できて、保温効果と無駄な消費電力のコントロールができ効率の良い電気湯沸かし器を提供する。【解決手段】  有底筒状で底部を一重壁、胴部を真空二重壁とし、口元を内側中央に向けて狭めた内容器３を設け、内容器３の底部外壁に張設して、内容器３内の液体を加熱する面状のヒータ７を設け、内容器３の底部外壁周りに固定して、ヒータ７を内容器底部に押さえつけて保持するヒータ押板を設けた電気湯沸かし器１に於いて、上記面状のヒータ７は、湯沸かし用のメインヒータと、保温用のサブヒータとの二相にすると共に内容器底部の一重壁部分を口元近くの最小内径よりも小さい径とし、この内容器底部の一重壁部分周りにヒータ押板をスポット溶接する構成としている。【選択図】   図１
2005323704.tif 000002
【特許請求の範囲】
【請求項１】
有底筒状で底部を一重壁、胴部を真空二重壁とし、口元を内側中央に向けて狭めた内容器（３）を設け、内容器（３）の底部外壁に張設して、内容器（３）内の液体を加熱する面状のヒータ（７）を設け、内容器（３）の底部外壁周りに固定して、ヒータ（７）を内容器底部に押さえつけて保持するヒータ押板（１１）を設け、内容器の胴部を囲む外装ケース（２）を設け、外装ケース（２）の上端に肩部材（５）を結合し、肩部材（５）の上端に内容器の口元を開閉する蓋体（６）を着脱自在に装着し、外装ケース（２）の下端に底部材（４）を結合し、内容器内の液体を外部へ吐出する吐出機構（９）を設けた電気湯沸かし器（１）に於いて、上記面状のヒータ（７）は、湯沸かし用のメインヒータ（７ａ）と、保温用のサブヒータ（７ｂ）との二相にすると共に内容器底部の一重壁部分を口元近くの最小内径よりも小さい径とし、この内容器底部の一重壁部分周りにヒータ押板（１１）をスポット溶接することを特徴とした電気湯沸かし器。
【発明の詳細な説明】
【技術分野】
【０００１】
本発明は、金属製真空二重の内容器を有し、ヒータにて内容器内の液体を沸かし、保温する電気湯沸かし器に関するものである。
【背景技術】
【０００２】
従来、電気湯沸かし器としては、外装体に囲まれた金属製真空二重の内容器を設け、この内容器の底部のみを一重壁として、底部外壁に面状のヒータを張設し、ヒータを押さえつけるヒータ押板を底部外壁にビス止めした構造の電気貯湯容器が特開２００２−３２５６８４号公報（特許文献１、図１及び図１３参照）として存在する。
【０００３】
【特許文献１】特開２００２−３２５６８４号（図１及び図１３）
【０００４】
以下、特許文献１の図１及び図１３により従来の電気湯沸かし器について説明する。
この特許文献１の電気貯湯容器は、外装ケース２に囲まれた真空二重容器３を設け、この真空二重容器３を有底筒状に形成して底部を一重壁とし、胴部を内筒４、外筒５からなる真空二重壁としており、口元の内筒４上端部を内側中央に向けて狭めた細口に設け、真空二重容器３内の液体を沸かし、保温する一つのヒータ１１を真空二重容器の底部外壁に張設し、このヒータ１１の下側に遮熱板８７を設け、ヒータ１１と遮熱板８７との間にバックアップ板９２とばね部材９１を挟み込んで遮熱板８７を真空二重容器の底部外壁の取付け金具８８にねじ８９止めした構成としている。
【発明の開示】
【発明が解決しようとする課題】
【０００５】
ところが、この種の電気湯沸かし器では、真空二重容器の底部外壁に遮熱板を止めているねじが熱や振動の影響を受けて次第に緩み、真空二重容器の底部外壁とヒータとが接触不良となって、真空二重容器内の液体を所望の温度に加熱することができないという問題点があった。
【０００６】
そこで、この遮熱板を真空二重容器の底部外壁にスポット溶接することが開発されたが、スポット溶接では、溶接する箇所の内外垂直方向に障害壁があれば、スポット溶接できないために、真空二重容器の口元を細口とするとヒータを支える遮熱板のスポット溶接ができないという問題点があった。
【課題を解決するための手段】
【０００７】
本発明は、有底筒状で底部を一重壁、胴部を真空二重壁とし、口元を内側中央に向けて狭めた内容器３を設け、内容器３の底部外壁に張設して、内容器３内の液体を加熱する面状のヒータ７を設け、内容器３の底部外壁周りに固定して、ヒータ７を内容器底部に押さえつけて保持するヒータ押板１１を設け、内容器の胴部を囲む外装ケース２を設け、外装ケース２の上端に肩部材５を結合し、肩部材５の上端に内容器の口元を開閉する蓋体６を着脱自在に装着し、外装ケース２の下端に底部材４を結合し、内容器内の液体を外部へ吐出する吐出機構９を設けた電気湯沸かし器１に於いて、上記面状のヒータ７は、湯沸かし用のメインヒータ７ａと、保温用のサブヒータ７ｂとの二相にすると共に内容器底部の一重壁部分を口元近くの最小内径よりも小さい径とし、この内容器底部の一重壁部分周りにヒータ押板１１をスポット溶接する構成としている。
【発明の効果】
【０００８】
本発明は、従来の問題点を解決したものであって、内容器の口元を細くした状態で確実にスポット溶接でき、しかも内容器内の液体を所望の温度にまで加熱できて、保温効果と無駄な消費電力のコントロールができ効率の良いものとすることができる。
【発明を実施するための最良の形態】
【０００９】
電気湯沸かし器１は、外装ケース２に囲まれた内容器３と、外装ケース２の下端に結合し、内容器３の底部を覆う底部材４と、外装ケース２の上端に結合し、内容器３の口元を支える肩部材５と、肩部材５の上端中央に着脱自在に装着し、内容器３の口元を開閉する蓋体６と、内容器３内の液体を加温するヒータ７と、内容器３内の液体温度を感知してヒータ７をＯＮ、ＯＦＦする温度調節器８と、内容器内の液体を外部へ吐出する吐出機構９とから構成している。
【００１０】
外装ケース２は、金属製又は合成樹脂製で前面を内側に窪ませた筒状に形成されており、内容器３の胴体が自由に挿通できる大きさの内径を有している。
【００１１】
内容器３は、図３及び図４に示すように、ステンレス等の金属製材料にて有底筒状の内壁３ａと内壁３ａよりもわずかに大きな筒状の外壁３ｂとを設け、内壁３ａの底部中央より離れた底部外壁に外壁３ｂの底部を溶着し、内壁３ａの口元に外壁３ｂの口元を溶着して内、外壁間を真空引きして、底部一重で胴部真空二重としている。
【００１２】
内容器３の内壁３ａは、口元に胴体の径よりも小さい径の環状内壁突起部３ｃを設け、この環状内壁突起部３ｃの上端に外側に向けて延びた内壁フランジ部３ｄを設けている。この内壁３ａの環状内壁突起部３ｃの内径Ｒ１は、後述のヒータ押板１１のスポット溶接箇所周りの外径よりも大きい径に形成している。又、この内壁３ａの環状内壁突起部３ｃの内径Ｒ１は、内容器３の底部の一重壁部分の外径Ｒ２よりも大きい径に形成している。
内容器３の外壁３ｂは、口元の上端外側に外壁フランジ部３ｋを設けて、内壁３ａの内壁フランジ部３ｄと当接しており、底部を後述の外周底壁３ｈより内壁３ａを包むように真空二重としている。
【００１３】
内壁３ａと外壁３ｂとからなる内容器３の底部は、中央より後述の温度調節器８と接触する温度調節器当接壁３ｅと、温度調節器当接壁３ｅ周りでヒータ７と接触するヒータ当接壁３ｆと、ヒータ押板１１と接触するヒータ押板当接壁３ｇと、二重壁となる外周底壁３ｈとを順次段状に窪ませて形成している。
３ｊは、内容器３内と連通して外部に通じるパイプ状の下筒であって、内壁３ａのヒータ押板当接壁３ｇの前方に垂下している。
【００１４】
又、内容器３は、図５に示すように、内壁３ａの底部を図３と同じ形状に形成し、内壁３ａの口元に向かって滑らかに窪ませており、外壁３ｂも同様に、底部を図３と同じ形状に形成し、外壁３ｂの口元に向かって滑らかに窪ませている。この内容器３の口元の内径Ｒ１は、内容器３の底部の一重壁部分の外径Ｒ２よりも大きい径に形成している。
【００１５】
内容器３内の液体を加熱するヒータ７は、図６に示すように、ヒータ７を覆うヒータカバー１０と、ヒータカバー１０と共にヒータ７を内容器３のヒータ当接壁３ｆに固定するヒータ押板１１と、ヒータ押板１１にビス止めされ、ヒータの熱を内容器の底部外側に逃がさない遮蔽板１２とを備えている。
【００１６】
ヒータ７は、中央を空洞としており、内容器３内の液体を沸騰状態まで加熱する湯沸かし用のメインヒータ７ａと、保温状態を維持する保温用のサブヒータ７ｂとの二相を配設して、内容器３のヒータ当接壁３ｆに当接している。
【００１７】
ヒータ押板１１は、図６に示すように、中央を切り欠いており、ヒータ押板当接壁３ｇに当接する外周壁の下面にビス用アングル１３を溶接している。このビス用アングル１３は、ヒータ押板１１のスポット溶接前の前加工としてヒータ押板に溶接されている。
このヒータ押板１１は、ヒータカバー１０と共にヒータ７を内容器３のヒータ当接壁３ｆに押しつけた状態で、その周りを内容器のヒータ押板当接壁３ｇに適宜の間隔を隔ててスポット溶接している。
【００１８】
遮蔽板１２は、ヒータ押板１１のビス用アングル１３にビスにて固定されていて、図１に示すように、ヒータ７の熱が遮蔽板よりも下方へ逃げないようにしている。
【００１９】
内容器３の底部を覆う底部材４は、リング状で合成樹脂製の底板１４と、底板１４の中央開口を閉鎖する金属製の閉鎖板１５とからなっている。
底板１４は、外装ケース２の横断面形状と同一形状の胴部と中央を開口した底部とからなっており、この底部に金属製平板状の閉鎖板１５を被せている。
【００２０】
外装ケース２の上端に結合した肩部材５は、中央を上下に開口した開口部を設け、開口部の前面に前方に延びた嘴部を設け、開口部の後面にヒンジ部を設けており、開口部を形成する周壁の下部に内側中央に向けて延びたフランジ部を設けている
【００２１】
この開口部のフランジ部には、Ｌ字型のシールパッキンを張設しており、このシールパッキン上に内容器３の外壁フランジ部３ｋを当接している。
この開口部には、肩部材５のヒンジ部に枢支された蓋体６を開閉自在に装着している。
【００２２】
肩部材５の嘴部は、下側から上向きに空洞としており、この空洞内に湯沸かし、保温用のスイッチ、ランプや後述の吐出機構９の吐出パイプ等を収納しており、この嘴部の前方上面に各スイッチや吐出スイッチ等を表示した制御板を設けている。
【００２３】
肩部材５のヒンジ部に枢支された蓋体６は、上蓋と下蓋と下蓋の下面を覆い方部材５の開口部を閉鎖する金属製の覆板とにて構成されている。
【００２４】
温度調節器８は、サーミスタ等にて形成されており、内容器３の温度調節器当接壁３ｅに当接して遮蔽板１２に固定保持されている。この温度調節器８は、内容器３内の液温を感知してコンピュータ制御によりヒータ７をＯＮ、ＯＦＦしている。コンピュータ制御する基盤は、内容器３と底部材４間に配置されており、肩部材５の嘴部の前方上面に表示された制御板の操作によって、コンピュータが制御され、ヒータ７や後述の吐出機構９を作動している。
【００２５】
吐出機構９は、図１及び図２に示すように、内容器３内の液体を吸い上げて吐出パイプ１６先端より外部へ排出する連動ポンプ１７と、吐出パイプ１６と連動ポンプ１７との間にあって内容器３内の液量を表示する液量表示パイプ（図示せず）と、液量表示パイプと吐出パイプ１６との間にあって転倒時液量表示パイプ内の液体を止めて吐出パイプ１６からの流出を阻止する転倒流水弁部１８と、内容器３の下筒３ｊと連動ポンプ１７とを連結するジョイントパイプ（図示せず）とからなっている。
【００２６】
このようにして内容器３の口元に近い内径Ｒ１に対して、一重部分のもっとも外側となるヒータ押板当接壁３ｇの外径Ｒ２を小さくしてヒータ押板１１のスポット溶接を確実にすると共に、このヒータ押板当接壁３ｇの外径Ｒ２が小さいにもかかわらず、ヒータ７をメインヒータ７ａと、サブヒータ７ｂとの二相に配置しているので、内容器３内の保温効果と不要な消費電力の供給がコントロールされて、より効率の良い電気湯沸かし器とすることができる。
【００２７】
以上本発明の代表的と思われる実施例について説明したが、本発明は必ずしもこれら実施例構造のみに限定されるものではなく、本発明にいう前記の構成要件を備え、かつ、本発明にいう目的を達成し、本発明にいう効果を有する範囲内において適宜改変して実施することができるものである。
【図面の簡単な説明】
【００２８】
【図１】本発明実施例の縦断面図。
【図２】本発明実施例の底面図。
【図３】本発明実施例の内容器の縦断面図。
【図４】本発明実施例の内容器の底面図。
【図５】本発明実施例の別の内容器の縦断面図。
【図６】本発明実施例のヒータ部分を示す分解斜視図。
【符号の説明】
【００２９】
１…電気湯沸かし器
２…外装ケース
３…内容器
３ａ…内壁
３ｂ…外壁
３ｃ…環状内壁突起部
３ｄ…内壁フランジ部
３ｅ…温度調節器当接壁
３ｆ…ヒータ当接壁
３ｇ…ヒータ押板当接壁
３ｈ…外周底壁
３ｊ…下筒
３ｋ…外壁フランジ部
４…底部材
５…肩部材
６…蓋体
７…ヒータ
７ａ…メインヒータ
７ｂ…サブヒータ
８…温度調節器
９…吐出機構
１０…ヒータカバー
１１…ヒータ押板
１２…遮蔽板
１３…ビス用アングル
１４…底板
１６…吐出パイプ
１７…連動ポンプ
Ｒ１…口元近くの最小内径
Ｒ２…底部の一重部分の外径
【図１】
2005323704.tif 000003
【図２】
2005323704.tif 000004
【図３】
2005323704.tif 000005
【図４】
2005323704.tif 000006
【図５】
2005323704.tif 000007
【図６】
2005323704.tif 000008